(57)【要約】【課題】ケーブルを通す防水部材が誤った状態に固定されることを防止できる構造を有する携帯端末装置を提供すること。【解決手段】この携帯端末装置は、内部に防水領域を有する第１筐体（１０）と、第１筐体にヒンジを介して回動可能に連結される第２筐体（２０）と、第１筐体と第２筐体とを電気的に結ぶケーブル（５０）と、第１筐体に設けられ防水領域の内外に渡ってケーブルを通す貫通孔と、ケーブルを囲って貫通孔に嵌合する防水部材（５２）と、第１筐体および第２筐体の間のケーブルを覆う外カバー（３１）と、外カバーと別体に設けられ、外カバーの内側で防水部材の位置を規制する抜け防止部品（４０）と、を具備する構成を採る。【選択図】図１
2014053767.tif 000002
【特許請求の範囲】
【請求項１】
内部に防水領域を有する第１筐体と、
前記第１筐体にヒンジを介して回動可能に連結される第２筐体と、
前記第１筐体と前記第２筐体とを電気的に結ぶケーブルと、
前記第１筐体に設けられ前記防水領域の内外に渡って前記ケーブルを通す貫通孔と、
前記ケーブルを囲って前記貫通孔に嵌合する防水部材と、
前記第１筐体および前記第２筐体の間のケーブルを覆う外カバーと、
前記外カバーと別体に設けられ、前記外カバーの内側で前記防水部材の位置を規制する抜け防止部品と、
を具備する携帯端末装置。
【請求項２】
前記抜け防止部品は、前記外カバーの内側で前記防水部材の一部を露出させて前記第１筐体に固定される、
請求項１記載の携帯端末装置。
【請求項３】
前記抜け防止部品は、
前記抜け防止部品が前記第１筐体に組み付けられたときに、前記第１筐体の一部と高さが比較可能な高さ確認用の面またはリブを有する、
請求項１記載の携帯端末装置。
【請求項４】
前記外カバーの内側に配置されるアンテナ基板を具備し、
前記抜け防止部品は、前記アンテナ基板を覆うアンテナプレートである、
請求項１記載の携帯端末装置。
【請求項５】
前記抜け防止部品は、
前記アンテナ基板と前記ケーブルとを離間させる突起を有している、
請求項４記載の携帯端末装置。
【請求項６】
前記抜け防止部品は、
前記ケーブルを覆う範囲に張り出した第１の突起と、
前記第１の突起より大きく張り出して前記第１筐体に当接する第２の突起と、
を有している、
請求項１記載の携帯端末装置。
【発明の詳細な説明】
【技術分野】
【０００１】
本発明は、筐体とケーブルとを有する携帯端末装置に関する。
【背景技術】
【０００２】
以前より、第１筐体と第２筐体とがヒンジにより連結された折畳み型の携帯端末装置がある。このような携帯端末装置では、一般に、第１筐体と第２筐体とがケーブルを介して電気的に結ばれる。さらに、筐体におけるケーブルを通す貫通孔には、ケーブルを囲う防水部材（例えば、グロメット、ブッシングなど）が嵌合されて、貫通孔の止水が行われる。このような防水部材は、防水キャップとも呼ばれる。
【０００３】
一般に、防水部材は、貫通孔に圧入されて固定される。このため、防水部材は、振動等により貫通孔から抜けてこないように、ストッパーにより位置を規制する必要がある。特許文献１には、ヒンジカバーに防水部材（防水キャップ）の抜け防止用の押さえが設けられた携帯用電話機が開示されている。
【先行技術文献】
【特許文献】
【０００４】
【特許文献１】特許第４１４２０３３号公報
【発明の概要】
【発明が解決しようとする課題】
【０００５】
しかしながら、特許文献１に開示のように、外カバーに防水部材の抜け防止用の押さえを設けた構成では、防水部材が貫通孔に正しく挿入されていない状態で外カバーが嵌められてしまうという課題が生じえる。この場合、防水部材は外カバーに押されて変形した状態で固定されてしまい、防水部材の止水性能が低下してしまう。
【０００６】
本発明の目的は、ケーブルを通す防水部材が誤った状態に固定されることを防止できる構造を有する携帯端末装置を提供することである。
【課題を解決するための手段】
【０００７】
本発明の一態様に係る携帯端末装置は、内部に防水領域を有する第１筐体と、前記第１筐体にヒンジを介して回動可能に連結される第２筐体と、前記第１筐体と前記第２筐体とを電気的に結ぶケーブルと、前記第１筐体に設けられ前記防水領域の内外に渡って前記ケーブルを通す貫通孔と、前記ケーブルを囲って前記貫通孔に嵌合する防水部材と、前記第１筐体および前記第２筐体の間のケーブルを覆う外カバーと、前記外カバーと別体に設けられ、前記外カバーの内側で前記防水部材の位置を規制する抜け防止部品と、を具備する構成を採る。
【発明の効果】
【０００８】
本発明によれば、防水部材が誤った状態に固定されることを防止することができる。
【図面の簡単な説明】
【０００９】
【図１】本発明の実施の形態の携帯端末装置を示す分解斜視図
【図２】上筐体に嵌合する防水部材を示す斜視図
【図３】上筐体に防水部材が嵌合した状態を示す平面図
【図４】上筐体に固定される抜け防止部品を示す斜視図
【図５】上筐体に抜け防止部品が固定された状態を示す斜視図
【図６】本発明の実施の形態の携帯端末装置の下筐体を示す分解斜視図
【図７】アンテナプレートの表側を示す平面図
【図８】アンテナプレートの裏側を示す平面図
【図９】アンテナプレートを裏側から見た斜視図
【図１０】下筐体にアンテナプレートが固定された状態を示す斜視図
【図１１】下筐体における防水部材の嵌合部位の周辺を示す縦断面図
【発明を実施するための形態】
【００１０】
以下、本発明の各実施の形態について図面を参照して詳細に説明する。
【００１１】
図１は、本発明の実施の形態の携帯端末装置を示す分解斜視図である。
【００１２】
本実施の形態の携帯端末装置は、複数の電子部品が搭載された上筐体（第１の筐体に相当）１０と、複数の電子部品が搭載された下筐体（第２の筐体に相当）２０と、上筐体１０および下筐体２０を回転可能に連結するヒンジ３０とを備えている。上筐体１０に搭載される電子部品には、ディスプレイなどが含まれる。下筐体２０に搭載される電子部品には、複数の操作キーを有するキーパッド、および、信号処理回路および制御回路を有する電子基板などが含まれる。
【００１３】
上筐体１０と下筐体２０とは、ケーブル５０を介して接続されて、両者間で電源電圧の供給および電気信号の入出力が行われる。ケーブル５０としては、例えば、フレキシブル配線（ＦＰＣ：Flexible printed circuits）、または、同軸細線を採用することができる。ケーブル５０は、ヒンジ３０の中を通して、上筐体１０と下筐体２０との間に配置される。
【００１４】
上筐体１０は、内部の収容空間１１が防水領域となる。特に制限されないが、上筐体１０は、背面の開口部に背面パネル１８が接着されて、背面の開口部が止水される。
【００１５】
＜上筐体のケーブル導出部の構成＞
図２は、上筐体に嵌合する防水部材を示す斜視図である。図３は、上筐体に防水部材が嵌合した状態を示す平面図である。
【００１６】
上筐体１０のケーブル導出部の周辺には、上筐体１０の貫通孔１２（図３参照）と、防水部材５２と、抜け防止部品４０と、ヒンジカバー（外カバーに相当）３１とが設けられている。
【００１７】
貫通孔１２（図３参照）は、上筐体１０の収容空間１１へケーブル５０を通す孔である。貫通孔１２は、上筐体１０のヒンジ３０に面する箇所に設けられている。
【００１８】
防水部材５２は、ケーブル５０を覆って、貫通孔１２に嵌合する部材である。防水部材５２は、弾性を有し、貫通孔１２に嵌合したときに、貫通孔１２からの浸水を防止する。防水部材５２は、一端側に圧入部５２ａを、他端側にストッパー部５２ｂを備えている。
【００１９】
図３に示すように、防水部材５２は、圧入部５２ａがヒンジ３０の側から収容空間１１の側へ圧入され、ストッパー部５２ｂが貫通孔１２の手前で係止されて固定される。圧入部５２ａは、貫通孔１２を通過する手前で固定される。よって、防水部材５２が固定された状態で、ケーブル５０を引く力、あるいは、振動等が加わることで、防水部材５２が貫通孔１２から抜けてしまう可能性がある。
【００２０】
ヒンジカバー３１は、上筐体１０のケーブル導出部がある箇所を覆って、装置の外装となる部品である。携帯端末装置の組立工程においては、ヒンジカバー３１が外された状態で、ケーブル５０および防水部材５２が組み付けられる。
【００２１】
図４は、抜け防止部品の斜視図を示す。図５は、上筐体に抜け防止部品が固定された状態を示す斜視図である。
【００２２】
抜け防止部品４０は、防水部材５２のストッパーとなって、防水部材５２が貫通孔１２から抜けるのを防止する部材である。抜け防止部品４０は、ヒンジカバー３１の内側で、防水部材５２の後端に対向して、上筐体１０に固定される。図５に示すように、抜け防止部品４０は、防水部材５２を全て覆うことなく、防水部材５２を上方から視認できる状態で固定される。
【００２３】
抜け防止部品４０は、固定部４１と、ゲート部４２と、ストッパー部４３と、高さの異なる２つの天面４４，４５とを有している。
【００２４】
固定部４１は、上筐体１０の凹溝１３（図３参照）に嵌って、抜け防止部品４０を固定する。ストッパー部４３は、防水部材５２の後端に対向配置されて、防水部材５２の抜けを防止する。ケーブル５０は、ゲート部４２を介してヒンジ３０側へ導出される。
【００２５】
天面４４は、ヒンジカバー３１に押さえられて、抜け防止部品４０のガタをなくす役割をなす。
【００２６】
他方の天面４５は、正常な固定状態において、上筐体１０の位置合せ面１４に隣接して、位置合せ面１４とほぼ同じ高さに（具体的には、僅かに低く）配置される。天面４５は、防水部材５２が最後まで挿入されていない段階で、抜け防止部品４０が無理やり押し込まれた状態など、異常な固定状態である場合に、これを識別可能にするものである。装置の組立工程において、作業者は、天面４５と位置合せ面１４との高さの比較により、正常な固定状態か異常な固定状態かを識別することができる。
【００２７】
なお、高さ比較用の天面４５は、リブに変更してもよい。
【００２８】
＜上筐体のケーブル導出部の効果＞
上記の構成により、本実施の形態の携帯端末装置では、ヒンジカバー３１がヒンジ３０に固定されてケーブル５０および防水部材５２が覆われる前に、抜け防止部品４０により、防水部材５２が正常に且つ抜けないように固定される。
【００２９】
よって、装置の組立工程において、防水部材５２が異常な状態で固定されてしまい、上筐体１０の防水性が低下してしまうと言うことを回避できる。
【００３０】
また、樹脂の一体成型により、ヒンジカバー３１の内側に比較的に長いリブを設けて防水部材５２のストッパーを構成した場合、ヒンジカバー３１の外面にはヒケ等の不良が生じかねない。しかしながら、本実施の形態の携帯端末装置では、ヒンジカバー３１の外面にこのような不良が生じる恐れがない。
【００３１】
＜下筐体のケーブル導出部の構成＞
図６は、本発明の実施の形態の携帯端末装置の下筐体を示す分解斜視図である。
【００３２】
下筐体２０のケーブル導出部の周辺には、下筐体２０の貫通孔２２、防水部材５３、アンテナ基板６０、アンテナプレート（抜け防止部品に相当）７０、および、外カバー８０が設けられている。以降の説明では、下筐体２０が第１の筐体に相当し、上筐体１０が第２の筐体に相当する。
【００３３】
貫通孔２２は、下筐体２０の収容空間２１（図１１参照）へケーブル５０を通す孔である。収容空間２１は防水領域である。貫通孔２２は、下筐体２０のヒンジ３０の近傍に設けられている。
【００３４】
防水部材５３は、ケーブル５０の一部を覆って、貫通孔２２に嵌合する部材である。防水部材５３は、弾性を有し、貫通孔２２に嵌合したときに、貫通孔２２からの浸水を防止する。防水部材５３の形状および貫通孔２２への嵌合の態様は、上筐体１０の防水部材５２とほぼ同様である。
【００３５】
アンテナ基板６０は、アンテナとなる導電体が形成された基板（例えばＦＰＣ）であり、例えば、下筐体２０の外面に露出された接点を介して、下筐体２０の内部の回路基板と電気的に接続される。
【００３６】
アンテナ基板６０は、例えば、アンテナプレート７０の裏面に接着固定される。
【００３７】
図７は、アンテナプレートの表側を示す平面図、図８は、アンテナプレートの裏側を示す平面図、図９は、アンテナプレートを裏側から見た斜視図である。
【００３８】
アンテナプレート７０は、アンテナ基板６０を覆って、アンテナ基板６０を所定の位置に固定する部材である。アンテナプレート７０は、アンテナ基板６０がユーザの手に触れてアンテナ性能を劣化することを防止する。アンテナプレート７０は、特に制限されないが、下筐体２０にネジにより止着される。
【００３９】
また、アンテナプレート７０は、ストッパー部７１を有し、このストッパー部７１が貫通孔２２に嵌合された防水部材５３の後端に対向して、防水部材５３の抜けを防止する。ストッパー部７１には、高さの異なる第１のリブ（第１の突起に相当）７２および第２のリブ（第１の突起に相当）７３が形成されている。
【００４０】
図１０は、下筐体にアンテナプレートが固定された状態を示す斜視図である。図１１は、下筐体における防水部材が嵌合された部位を示す縦断面図である。
【００４１】
第１のリブ７２は、ストッパー部７１におけるケーブル５０を覆う範囲に形成されている。第１のリブ７２は、下筐体２０の内方へ張り出すリブである。第１のリブ７２は、製品ばらつき等によりケーブル５０に撓みが生じて、ケーブル５０がアンテナ基板６０の側へ浮き上がった場合でも、ケーブル５０に当接してケーブル５０がアンテナ基板６０へ非常に近接してしまうのを防止する。
【００４２】
第２のリブ７３は、ストッパー部７１におけるケーブル５０を避けた範囲に形成されている。第２のリブ７３は、第１のリブ７２より大きい張出し量で、下筐体２０の内方へ張り出している。第２のリブ７３は、下筐体２０の外周部２５に当接して、アンテナ基板６０を下筐体２０の外周部２５から一定量浮かせる役割をなす。また、第２のリブ７３は、第１のリブ７２が必要以上にケーブル５０に当接しないように、第１のリブ７２を下筐体２０の外面から所定量浮かせる役割をなす。
【００４３】
また、アンテナプレート７０は、図１０および図１１に示すように、防水部材５３を全て覆うことなく、防水部材５３の一部を露出した状態で固定される。すなわち、アンテナプレート７０が固定された状態で、防水部材５３のストッパー部５３ｂは、アンテナプレート７０のストッパー部７１と、下筐体２０の外周面との間の隙間に露出する。
【００４４】
さらに、図１０および図１１に示すように、正常な固定状態においては、アンテナプレート７０のストッパー部７１、防水部材５３のストッパー部５３ｂ、および、これに隣接した下筐体２０の外面２４は、ほぼ同一の高さに配置される。よって、これらの高さ比較により、組立工程の作業者は、防水部材５３が異常な固定状態にあるか否かを識別することができる。すなわち、防水部材５３が貫通孔２２に正常に押し込まれていない段階で、アンテナプレート７０が防水部材５３を押しつぶすように固定されるなど、異常な固定状態のときには、アンテナプレート７０が浮き上がるようになっている。
【００４５】
＜下筐体のケーブル導出部の効果＞
上記の構成により、本実施の形態の携帯端末装置では、ケーブル５０および防水部材５３が外カバー８０で覆われる前に、アンテナプレート７０のストッパー部７１により、防水部材５３を正常に且つ抜けないように固定することができる。
【００４６】
よって、装置の組立工程において、防水部材５３が異常な状態で固定されてしまい、下筐体２０の防水性が低下してしまうと言う不都合を回避できる。
【００４７】
また、樹脂の一体成型により、外カバー８０の内側に比較的に長いリブを設けて防水部材５３のストッパーを構成した場合、外カバー８０の外面にヒケ等の不良が生じかねない。しかしながら、本実施の形態の携帯端末装置では、外カバー８０の外面にこのような不良が生じる恐れがない。
【００４８】
以上、本発明の各実施の形態について説明した。
【００４９】
なお、上記実施の形態では、ケーブルとしてフレキシブルケーブルまたは同軸細線を採用した構成を例にとって説明したが、ケーブルとしては、通常の導線など様々なものを採用してもよい。
【産業上の利用可能性】
【００５０】
本発明は、携帯電話機、携帯型情報端末、携帯音楽プレーヤなどの携帯端末装置に利用可能である。
【符号の説明】
【００５１】
１０  上筐体
１１  収容空間
１２  貫通孔
１４  位置合せ面
２０  下筐体
２１  収容空間
２２  貫通孔
２４  外面
３０  ヒンジ
３１  ヒンジカバー
４０  抜け防止部品
４５  天面
５０  ケーブル
５２，５３  防水部材
５２ｂ，５３ｂ  ストッパー部
６０  アンテナ基板
７０  アンテナプレート
７１  ストッパー部
７２  第１のリブ
７３  第２のリブ
８０  外カバー
【図１】
2014053767.tif 000003
【図２】
2014053767.tif 000004
【図３】
2014053767.tif 000005
【図４】
2014053767.tif 000006
【図５】
2014053767.tif 000007
【図６】
2014053767.tif 000008
【図７】
2014053767.tif 000009
【図８】
2014053767.tif 000010
【図９】
2014053767.tif 000011
【図１０】
2014053767.tif 000012
【図１１】
2014053767.tif 000013